(57)【要約】【課題】  ベルトの連結作業の容易化を図ると共に、連結作業を容易にするための機構部の有効利用を図った歯付ベルトを提供する。【解決手段】  ベルト本体１１と、ベルト本体１１の一方の面に設けられた、プーリの歯に噛み合う複数の歯１２と、ベルト本体１１の他方の面に突出するように、ベルト本体１１に取り付けられるアタッチメント２０と、を備え、ベルト本体１１の幅方向に挿通されるピンＰによって、端部同士が互いに連結可能に構成された歯付ベルト１０であって、ピンＰの両端をベルト本体１１の両側面からそれぞれ突出させて、突出させた部分を、アタッチメント２０をベルト本体１１に取り付けるための支持部としたことを特徴とする。【選択図】  図１
2007051676.tif 000002
【特許請求の範囲】
【請求項１】
ベルト本体と、
ベルト本体の一方の面に設けられた、プーリの歯に噛み合う複数の歯と、
ベルト本体の他方の面に突出するように、ベルト本体に取り付けられるアタッチメントと、を備え、
ベルト本体の幅方向に挿通されるピンによって、端部同士が互いに連結可能に構成された歯付ベルトであって、
前記ピンの両端をベルト本体の両側面からそれぞれ突出させて、突出させた部分を、前記アタッチメントをベルト本体に取り付けるための支持部としたことを特徴とする歯付ベルト。
【請求項２】
前記アタッチメントには互いに対向する一対の穴が備えられており、
これらの穴が、前記ピンの両端に嵌合されることを特徴とする請求項１に記載の歯付ベルト。
【請求項３】
ベルト本体と、
ベルト本体の一方の面に設けられた、プーリの歯に噛み合う複数の歯と、
ベルト本体の一方の面に取り付けられると共に、プーリに設けられた環状溝にガイドされることで、ベルト本体の幅方向の揺れを抑制させるガイド部材と、を備え、
ベルト本体の幅方向に挿通されるピンによって、端部同士が互いに連結可能に構成された歯付ベルトであって、
前記ガイド部材には貫通孔が設けられており、前記ピンを該貫通孔に挿通させることによって、該ガイド部材がベルト本体に取り付けられることを特徴とする歯付ベルト。
【請求項４】
ベルト本体の端部は櫛歯状に形成され、かつ、ベルト本体の幅方向に櫛歯を貫く貫通孔が形成されており、
櫛歯同士が噛み合わされ、かつ、櫛歯に形成された貫通孔が一致された状態で、該貫通孔にピンが挿通されることで、ベルト本体の端部同士が連結されることを特徴とする請求項１〜３のいずれか一つに記載の歯付ベルト。
【発明の詳細な説明】
【技術分野】
【０００１】
本発明は、プーリの歯に噛み合う複数の歯を備えた歯付ベルトに関するものである。
【背景技術】
【０００２】
搬送用や駆動用に用いられる歯付ベルトの素材として、ポリウレタンなどの弾性プラスチックを用いたものが知られている。このような従来例に係る歯付ベルトについて、図１７を参照して説明する。図１７は従来例に係る歯付ベルトの使用状態を示す斜視図である。
【０００３】
歯付ベルト１００は、ベルト本体の一方の面に、プーリ２００の歯２０１に噛み合う複数の歯１０１を備えており、プーリ２００の回転により駆動されるように構成されている。図示の例は、歯付ベルト１００を搬送ベルトとして用いる場合を示している。この場合、ベルト本体における歯１０１が設けられた面とは反対側の面に、複数のアタッチメント１０２が取り付けられる。アタッチメント１０２は、一般的に、搬送対象物３００を一定のタイミングで搬送させるために設けられるものである。図示の例では、２つのアタッチメント１０２の間に、一つ一つ搬送対象物３００を載せていくことで、搬送対象物３００を順次一定のタイミングで搬送できるように構成されている。
【０００４】
弾性プラスチックで構成された歯付ベルト１００は、一般的に、金属チェーンに比べて軽量で騒音が少なく、また、潤滑油を必要としないなどの長所を有する一方で、着脱作業に手間がかかったり、大掛かりな作業になってしまったりしがちであるという短所を有している。
【０００５】
すなわち、弾性プラスチックで構成された歯付ベルト１００は、図示のようにエンドレスの状態（環状）で用いられる場合には、予めエンドレス状態に成形されたものを装置に組み込むタイプと、端部が接続されていない状態のベルトを装置に組み込んだ後に、端部同士を溶着することでエンドレスにするタイプがある。前者のタイプにおいて、歯付ベルト１００を装置に組み込んだり交換したりする場合には、一般的に、装置を分解して歯付ベルト１００を組み込んだ後に、装置を組み立て直さなければならない。また、後者のタイプにおいて、歯付ベルト１００を装置に組み込んだり交換したりする場合には、一般的に、装置の分解をしなくても良いものの、溶着用の型を備えた専用の溶着設備が必要となる。このように、いずれのタイプの場合であっても、歯付ベルト１００の着脱作業に手間がかかったり、大掛かりな作業になってしまったりすることが多い。
【０００６】
また、アタッチメント１０２をベルト本体に取り付ける場合、従来、例えばベルト本体に貫通孔を形成して、ボルトにより固定させていた。しかし、ベルト本体に、複数の心線（ワイヤ）が埋め込まれたタイプの場合には、ベルト本体に貫通孔を形成する際に、心線を傷つけてしまうなどの不具合が発生していた。また、アタッチメント１０２をベルト本体に溶着することもできるが、その場合には、専用の溶着器が必要であり、かつ他のアタッチメントに交換できないなどのデメリットがあった。さらに、アタッチメントをベルト本体に一体成形することもできるが、この場合も、アタッチメントを他のものに交換することができなかった。
【０００７】
なお、関連する技術としては、特許文献１〜９に開示されたものがある。
【特許文献１】実開昭６３−９２８５３号公報
【特許文献２】特公昭６２−１５３５０号公報
【特許文献３】特公平６−６９６９号公報
【特許文献４】実開平３−１３４５号公報
【特許文献５】特開昭６２−２２０７４２号公報
【特許文献６】特開昭６１−１１６１５０号公報
【特許文献７】特開昭６１−９９７３９号公報
【特許文献８】特開昭５９−７７１４６号公報
【特許文献９】特開２００４−１９７６４号公報
【発明の開示】
【発明が解決しようとする課題】
【０００８】
本発明の目的は、ベルトの連結作業の容易化を図ると共に、連結作業を容易にするために設けられた構成部材の有効利用を図った歯付ベルトを提供することにある。
【課題を解決するための手段】
【０００９】
本発明は、上記課題を解決するために以下の手段を採用した。
【００１０】
すなわち、本発明の歯付ベルトは、
ベルト本体と、
ベルト本体の一方の面に設けられた、プーリの歯に噛み合う複数の歯と、
ベルト本体の他方の面に突出するように、ベルト本体に取り付けられるアタッチメントと、を備え、
ベルト本体の幅方向に挿通されるピンによって、端部同士が互いに連結可能に構成された歯付ベルトであって、
前記ピンの両端をベルト本体の両側面からそれぞれ突出させて、突出させた部分を、前記アタッチメントをベルト本体に取り付けるための支持部としたことを特徴とする。
【００１１】
本発明によれば、ピンの挿通により、ベルト本体の端部同士を連結できるので、ベルトの連結作業が容易である。しかも、連結するために用いたピンの両端を、アタッチメントをベルト本体に取り付けるための支持部として有効に利用することができる。
【００１２】
前記アタッチメントには互いに対向する一対の穴が備えられており、
これらの穴が、前記ピンの両端に嵌合されるとよい。
【００１３】
また、本発明の歯付ベルトは、
ベルト本体と、
ベルト本体の一方の面に設けられた、プーリの歯に噛み合う複数の歯と、
ベルト本体の一方の面に取り付けられると共に、プーリに設けられた環状溝にガイドされることで、ベルト本体の幅方向の揺れを抑制させるガイド部材と、を備え、
ベルト本体の幅方向に挿通されるピンによって、端部同士が互いに連結可能に構成された歯付ベルトであって、
前記ガイド部材には貫通孔が設けられており、前記ピンを該貫通孔に挿通させることによって、該ガイド部材がベルト本体に取り付けられることを特徴とする。
【００１４】
本発明によれば、ピンの挿通により、ベルト本体の端部同士を連結できるので、ベルトの連結作業が容易である。しかも、連結するために用いたピンを、ガイド部材をベルト本体に取り付けるためにも利用することができる。
【００１５】
ベルト本体の端部は櫛歯状に形成されており、かつ、ベルト本体の幅方向に櫛歯を貫く貫通孔が形成されており、
櫛歯同士が噛み合わされ、かつ、櫛歯に形成された貫通孔が一致された状態で、該貫通孔にピンが挿通されることで、ベルト本体の端部同士が連結されるとよい。
【００１６】
なお、上記各構成は、可能な限り組み合わせて採用し得る。
【発明の効果】
【００１７】
以上説明したように、本発明によれば、ベルトの連結作業の容易化を図ると共に、連結作業を容易にするために設けられた構成部材を有効に利用することができる。
【発明を実施するための最良の形態】
【００１８】
以下に図面を参照して、この発明を実施するための最良の形態を、実施例に基づいて例示的に詳しく説明する。ただし、この実施例に記載されている構成部品の寸法、材質、形状、その相対配置などは、特に特定的な記載がない限りは、この発明の範囲をそれらのみに限定する趣旨のものではない。
【実施例１】
【００１９】
図１〜図１２を参照して、本発明の実施例１に係る歯付ベルトについて説明する。図１は本発明の実施例１に係る歯付ベルトの連結の際の様子を示す外観斜視図である。なお、図１においては、連結部付近のみを斜視図で示している。図２は本発明の実施例１に係る歯付ベルトの使用時の状態を示す側面図である。図３は本発明の実施例１に係る歯付ベルトの連結部付近の平面図である。なお、図３は図２中矢印Ｐ方向に見た図である。図４は図３の一部を拡大した拡大図である。なお、図４は図３中丸で囲った部分の拡大図である。図５は本発明の実施例１に係る歯付ベルトの連結部付近の裏面図である。なお、図５は図２中矢印Ｑ方向に見た図である。図６は本発明の実施例１に係る歯付ベルトの連結部付近における連結する前の様子を示す平面図である。図７は本発明の実施例１に係るアタッチメントの平面図である。図８は本発明の実施例１に係るアタッチメントの正面図である。図９は本発明の実施例１に係るアタッチメントの裏面図である。図１０は本発明の実施例１に係るアタッチメントの側面図である。図１１は本発明の実施例１に係るアタッチメントの断面図である。なお、図１１は図７のＡＡ断面図である。図１２はプーリに歯付ベルトが噛み合っている状態を示す図である。なお、図１２においては、歯付ベルトは、その一部が破断された状態が示されている。
【００２０】
＜歯付ベルト全体＞
特に、図２を参照して、歯付ベルト全体の構成等について説明する。歯付ベルト１０は、ベルト本体１１の一方の面に、プーリ５０の歯５１と噛み合う複数の歯１２を備えており、プーリ５０の回転により駆動されるように構成されている。なお、複数の歯１２は、ベルト本体１１に一体的に構成されている。また、ベルト本体１１における歯１２が設けられた面とは反対側の面に、アタッチメント２０が取り付けられている。このアタッチメント２０は、例えば、搬送対象物を搬送するために用いられる。なお、図２では、アタッチメントが一つのみ取り付けられた状態を示しているが、使用条件に応じて、適宜の複数のアタッチメントを取り付けても良いことは言うまでもない。
【００２１】
ベルト本体１１は、熱可塑性の弾性プラスチック（例えば、ポリウレタン）を材料とする成形品であり、内部に複数の金属製の心線（ワイヤ）Ｗが埋め込まれた構成である。なお、図３では、内部に設けられた心線Ｗを点線にて示している。また、歯１２は、ベルト本体１１に、一体成形により一体的に設けられている。また、本実施例においては、２本のベルトの両端をそれぞれ連結することによって、１本のエンドレス（環状）の歯付ベルト１０を構成している。なお、図中矢印Ｃで示す２箇所が、それぞれ連結部である。
【００２２】
＜歯付ベルトの連結部の詳細＞
特に、図１〜図６を参照して、本発明の実施例１に係る歯付ベルト１０の連結部Ｃについて詳細に説明する。なお、図６は連結前の状態を示しており、図２〜図５は連結後の状
態を示している。また、図１は連結途中の状態を示している。
【００２３】
本実施例において、ベルト本体１１の端部は櫛歯状に形成されている。すなわち、ベルト本体１１の端部は、各図に示すとおり、複数の凸部１３と複数の凹部１４が交互に設けられている。なお、本実施例では、一方の端部は３つの凸部１３と４つの凹部１４により櫛歯状に形成され、他方の端部は４つの凸部１３と３つの凹部１４により櫛歯状に形成されている。なお、この櫛歯状の端部は、例えば、平面状のベルト本体１１を成形した後に、打ち抜き加工や切削加工により形成することができる。
【００２４】
また、各凸部１３には、歯１２の一部を構成する突起１２ａが長手方向に複数設けられている。この突起１２ａは、歯１２がベルトの幅方向に分割された構成である。そして、この突起１２ａには、それぞれベルトの幅方向に貫通する貫通孔１５が形成されている。なお、本実施例では、凸部１３の先端には、突起１２ａを、ベルトの長手方向に対して更に半分に分割した突起１２ｂが設けられている。この突起１２ｂには溝１５ａが形成されており、この溝１５ａは、上記の貫通孔１５の一部に相当する。なお、貫通孔１５や溝１５ａは、突起１２ａ，１２ｂを成形後に切削により加工することもできるし、ベルト本体１１の成形と同時に形成することもできる。
【００２５】
このように構成されたベルト本体１１の端部の櫛歯同士を噛み合わせると、複数の突起１２ａがベルトの幅方向に重なり、ベルトの長手方向に複数の歯１２が形成される。また、これにより、各突起１２ａに形成された貫通孔１５が一致して、連結部Ｃにおける各々の歯１２に、連通した一つの貫通孔がそれぞれ形成される。
【００２６】
この連通された貫通孔１５に、ピンＰが挿通されることによって、ベルト本体１１の端部同士が連結される。なお、本実施例では、両端の端部付近にそれぞれ環状溝Ｐ１が形成された、金属製の細長い円柱状のピンＰが用いられている。そして、このピンＰが、連通された貫通孔１５に挿通された状態で、両端の環状溝Ｐ１にそれぞれＣ形状の止め輪Ｒが嵌め込まれることで、ピンＰがベルト本体１１に固定される。また、図１のうち、矢印Ｖ１に示す部分はピンＰを挿通させる途中の様子を示し、矢印Ｖ２に示す部分はピンＰが固定された状態を示している。なお、その他の貫通孔１５はピンＰが挿通される前の状態を示している。
【００２７】
そして、本実施例に係る歯付ベルト１０においては、ピンＰがベルト本体１１に固定された状態で、ピンＰの両端が、ベルト本体１１の両側面からそれぞれ突出されるように構成されている。
【００２８】
＜アタッチメントの詳細＞
特に、図１〜図３、及び図７〜図１１を参照して、アタッチメント２０について詳細に説明する。本実施例に係るアタッチメント２０は、ベルト本体１１を幅方向の両側から挟みこむようにして取り付けられる一対の第１パーツ２１と一対の第１パーツ２１に固定される第２パーツ２２の２種類の部品から構成される。
【００２９】
第１パーツ２１は、正面形状がＬ字形状の部材であり、内側のＬ字の部分が、ベルト本体１１における歯１２が形成された面とは反対側の面とベルト本体１１の側面にそれぞれ密着するように固定される。そして、第１パーツ２１のうち、ベルト本体１１の側面に密着される側には、貫通していない穴２１ａが設けられている。図１１に示すように、アタッチメント２０を構成した場合には、一対の第１パーツ２１に設けられた穴２１ａは互いに対向する。なお、本実施例では、貫通させない穴２１ａを設ける構成としたが、この穴は貫通孔としても良い。また、第１パーツ２１のうち、ベルト本体１１における歯１２が形成された面とは反対側に面に密着される側には、貫通したメネジ２１ｂが設けられてい
る。
【００３０】
第２パーツ２２は、側面形状がコ字形状の部材である。すなわち、この第２パーツ２２は直方体形状の部材の一面に断面矩形の溝２２ｂが形成された構成となっている。そして、この溝２２ｂの幅は、第１パーツ２１の幅と同じか僅かに広く設定されている。これにより、この溝２２ｂに対して、第１パーツ２１をスライドさせることができる。また、第２パーツ２２には、一対の貫通した長孔２２ａが形成されている。
【００３１】
＜アタッチメントの取り付け＞
特に、図１を参照して、ベルト本体１１へのアタッチメント２０の取り付け方を説明する。
【００３２】
まず、一対の第１パーツ２１を、その内側のＬ字の部分が、ベルト本体１１における歯１２が形成された面とは反対側の面とベルト本体１１の側面にそれぞれ密着するように配置させる。このとき、上述したベルト本体１１の端部を連結するために用いたピンＰの両端それぞれに、第１パーツ２１の穴２１ａを嵌合させる。
【００３３】
そして、溝２２ｂに対して一対の第１パーツ２１がいずれも嵌まり込むように、第２パーツ２２を配置させる。このとき、第２パーツ２２の長孔２２ａと第１パーツ２１のメネジ２１ｂは、図７や図１１に示すように連通した状態となる。この状態で、長孔２２ａを通るように、ボルト２３を第１パーツ２１のメネジ２１ｂにねじ込む。これにより、第１パーツ２１と第２パーツ２２が固定され、アタッチメント２０が組み立てられる。このとき、一対の第１パーツ２１の各々に設けられている穴２１ａには、ピンＰの両端がそれぞれ嵌合されていることから、アタッチメント２０はベルト本体１１に対して固定される。このように、ピンＰの両端のベルト本体１１から突出した部分は、アタッチメント２０をベルト本体１１に取り付けるための支持部として利用される。なお、図２，３，５はアタッチメント２０がベルト本体１１に対して固定された状態を示しており、図１は固定される前の状態（アタッチメント２０をベルト本体１１に固定するときの様子）を示している。
【００３４】
＜本実施例の優れた点＞
本実施例に係る歯付ベルト１０によれば、ベルト本体１１の櫛歯状の端部をそれぞれ噛み合わせて、連通した貫通孔１５にピンＰを通して、ピンＰの両端の環状溝Ｐ１にそれぞれ止め輪Ｒを嵌めこむことによって、ベルト本体１１の端部同士を連結させることができる。従って、歯付ベルト１０をエンドレスの状態である装置に組み込ませる場合であっても、予めエンドレス状態に成形された歯付ベルトや溶着によってエンドレスにする歯付ベルトの場合に比べて、極めて簡単な作業で、歯付ベルト１０を装置に組み込むことができる。
【００３５】
また、本実施例では、ベルト本体１１の端部同士を連結するために用いたピンＰの両端が、アタッチメント２０をベルト本体１１に取り付けるための支持部として、有効に利用される。しかも、ピンＰに対して、第１パーツ２１に設けられた穴２１ａを嵌合させるだけで良く、アタッチメント２０をベルト本体１１に溶着させたり、ベルト本体１１にボルトを通すための貫通孔を設けたりする必要がない。従って、アタッチメントを溶着するための専用の溶着器は必要としないし、心線Ｗが傷ついてしまうこともない。
【００３６】
また、本実施例によれば、ボルト２３を着脱するだけで、アタッチメントを使用条件（例えば、搬送ベルトとして利用する場合には、搬送対象物の大きさや形状など）に応じて、種々のものに交換することができる。なお、本実施例では、第１パーツ２１については共通部品として、第２パーツ２２を種々のもの（形状や大きさが異なるもの）とすること
もできる。
【００３７】
＜その他＞
歯付ベルト１０の蛇行（幅方向の揺れ）を防止するためには、図１２（Ａ）に示すように、プーリ３０の両端にフランジ３１を設けるのが一般的である。このようにフランジ３１を設けておけば、歯付ベルト１０の両側面がフランジ３１にガイドされるため、歯付ベルト１０の蛇行が防止される。
【００３８】
ただし、本実施例では、アタッチメント２０の両端が、ベルト本体１１の両側面から突出しているため、フランジ３１では適切に蛇行を防止することができない場合も考えられる。その場合には、図１２（Ｂ）に示すように、プーリ４０の中央付近に環状溝４１を設け、歯付ベルト１０側に、この環状溝４１に入り込むように構成されたガイド１６を設ければ良い。このようにすれば、歯付ベルト１０に設けられたガイド１６が環状溝４１にガイドされるため、歯付ベルト１０の蛇行が防止される。なお、このガイド１６はベルト本体１１に対して一体成形により一体的に設けることもできるし、別部材として、ベルト本体１１に取り付けるようにすることもできる。また、このガイド１６はベルト本体１１の長手方向全体に連続的に設けても良いし、複数個所に部分的に設けても良い。
【００３９】
また、本実施例では、２本のベルトの両端をそれぞれ連結して１本のエンドレスの歯付ベルトを構成する場合を示したが、使用条件に応じて、より複数のベルトを連結することもできるし、１本のベルトの両端を連結してエンドレスの歯付ベルトを構成することもできる。勿論、エンドレス（環状）ではなく、例えばリニア駆動に用いる場合のように、末端部が連結されない（ただし、複数のベルトを連結して用いる）場合にも適用できる。
【００４０】
また、本実施例では、ピンＰの固定方法として、Ｃ形状の止め輪Ｒを、ピンＰに設けた環状溝Ｐ１に嵌合させる方法を示したが、これに限らず、適宜の方法（例えば、ねじ締結や接着など）を用いて固定しても良い。
【００４１】
また、歯付ベルト１０を搬送用として用いる場合には、アタッチメントを、歯付ベルト１０の全体に取り付ける必要が生じる場合がある。従って、ベルト本体１１の連結部Ｃ以外の部分にもアタッチメントを取り付ける必要がある。この場合、アタッチメントの取り付け方法は各種の方法を用いることができ、連結部Ｃ以外の位置に取り付けるアタッチメントの構成は、上記のアタッチメント２０とは異なるものを採用することもできる。ただし、連結部Ｃにおける取り付け方と同様の方法により、上記のアタッチメント２０を取り付けると好適である。すなわち、歯１２に、ベルト幅方向に貫通する貫通孔を形成し、ピンＰをその貫通孔に挿通させて、ピンＰの両端を突出させれば、上記のアタッチメント２０をベルト本体１１に上述した取り付け方で簡単に取り付けることができる。
【実施例２】
【００４２】
図１３〜図１６には、本発明の実施例２が示されている。上述の実施例１では、連結に用いたピンを、アタッチメントを取り付けるために利用した場合の例を示したが、本実施例では、当該ピンを、歯付ベルトの蛇行を防止するためのガイド部材を取り付けるために利用した場合の例を示す。その他の構成および作用については実施例１と同一なので、同一の構成部分については同一の符号を付して、その説明は省略する。
【００４３】
図１３は本発明の実施例２に係る歯付ベルトの連結部付近の裏面図である。図１４は本発明の実施例２に係る歯付ベルトの断面図である。なお、図１４は図１３のＢＢ断面図である。図１５は本発明の実施例２に係る歯付ベルトにおけるガイド部材を取り付ける前の状態を示す断面図である。図１６は本発明の実施例２に係るガイド部材の側面図である。
【００４４】
本実施例においては、ベルト本体１１の構成は、上記実施例１の場合とほぼ同様であるが、櫛歯状の端部に設けられた歯１２の一部を構成する突起１２ａが１箇所だけ設けられていない点が上記実施例１の場合と異なっている。すなわち、本実施例では、図１３中左側の端部に形成された３つの凸部１３のうちの真ん中の凸部１３の中央部には、突起１２ａを設けていない。そして、この部分に、ガイド部材１７を設ける構成としている。
【００４５】
このガイド部材１７は、上記実施例１で図１２（Ｂ）を参照して説明したガイド１６に相当するもので、歯付ベルト１０の蛇行を防止するために用いられるものである。そして、このガイド部材１７には、ベルトの幅方向に貫通する貫通孔１７ａが設けられている。
【００４６】
以上の構成により、上記実施例１で説明したように、ベルト本体１１の端部をピンＰにより連結する際に、ガイド部材１７に設けられた貫通孔１７ａにピンＰを挿通させることによって、ガイド部材１７をベルト本体１１に取り付けることができる。
【００４７】
以上のように、本実施例によれば、上記実施例１の場合と同様に、ベルト本体１１の端部の連結を簡単に行うことができ、歯付ベルト１０をエンドレスの状態である装置に組み込ませる場合であっても、極めて簡単な作業で、歯付ベルト１０を装置に組み込むことができる。また、ベルト本体１１の端部同士を連結するために用いたピンＰを、ガイド部材１７をベルト本体１１に取り付けるために有効利用することができる。なお、このピンＰをアタッチメント２０の取り付けに利用すると共に、ガイド部材１７の取り付けにも利用すると、ピンＰをより有効に利用することができる。また、連結部Ｃ以外の位置にガイド部材を取り付ける場合にも、本実施例で示した取り付け方を適用できることは言うまでもない。
【図面の簡単な説明】
【００４８】
【図１】図１は本発明の実施例１に係る歯付ベルトの連結の際の様子を示す外観斜視図である。
【図２】図２は本発明の実施例１に係る歯付ベルトの使用時の状態を示す側面図である。
【図３】図３は本発明の実施例１に係る歯付ベルトの連結部付近の平面図である。
【図４】図４は図３の一部を拡大した拡大図である。
【図５】図５は本発明の実施例１に係る歯付ベルトの連結部付近の裏面図である。
【図６】図６は本発明の実施例１に係る歯付ベルトの連結部付近における連結する前の様子を示す平面図である。
【図７】図７は本発明の実施例１に係るアタッチメントの平面図である。
【図８】図８は本発明の実施例１に係るアタッチメントの正面図である。
【図９】図９は本発明の実施例１に係るアタッチメントの裏面図である。
【図１０】図１０は本発明の実施例１に係るアタッチメントの側面図である。
【図１１】図１１は本発明の実施例１に係るアタッチメントの断面図である。
【図１２】図１２はプーリに歯付ベルトが噛み合っている状態を示す図である。
【図１３】図１３は本発明の実施例２に係る歯付ベルトの連結部付近の裏面図である。
【図１４】図１４は本発明の実施例２に係る歯付ベルトの断面図である。
【図１５】図１５は本発明の実施例２に係る歯付ベルトにおけるガイド部材を取り付ける前の状態を示す断面図である。
【図１６】図１６は本発明の実施例２に係るガイド部材の側面図である。
【図１７】図１７は従来例に係る歯付ベルトの使用状態を示す斜視図である。
【符号の説明】
【００４９】
１０  歯付ベルト
１１  ベルト本体
１２  歯
１２ａ  突起
１２ｂ  突起
１３  凸部
１４  凹部
１５  貫通孔
１５ａ  溝
１６  ガイド
１７  ガイド部材
１７ａ  貫通孔
２０  アタッチメント
２１  第１パーツ
２１ａ  穴
２１ｂ  メネジ
２２  第２パーツ
２２ａ  長孔
２２ｂ  溝
２３  ボルト
３０  プーリ
３１  フランジ
４０  プーリ
４１  環状溝
５０  プーリ
５１  プーリの歯
Ｃ  連結部
Ｐ  ピン
Ｐ１  環状溝
Ｒ  止め輪
Ｗ  心線（ワイヤ）
【図１】
2007051676.tif 000003
【図２】
2007051676.tif 000004
【図３】
2007051676.tif 000005
【図４】
2007051676.tif 000006
【図５】
2007051676.tif 000007
【図６】
2007051676.tif 000008
【図７】
2007051676.tif 000009
【図８】
2007051676.tif 000010
【図９】
2007051676.tif 000011
【図１０】
2007051676.tif 000012
【図１１】
2007051676.tif 000013
【図１２】
2007051676.tif 000014
【図１３】
2007051676.tif 000015
【図１４】
2007051676.tif 000016
【図１５】
2007051676.tif 000017
【図１６】
2007051676.tif 000018
【図１７】
2007051676.tif 000019